(57)【要約】【課題】正規のキーを用いた不正行為について把握することができるようにする。【解決手段】外枠に対して開閉可能な前枠を有するパチンコ機におけるシステムであって、前枠を施錠するためのロック機構と、前枠について少なくとも解錠するための操作をロック機構に対して行うためのキー５０とを有し、パチンコ機には、当該パチンコ機を特定する遊技機ＩＤ信号を発信するＩＤ信号発信装置６０が設けられ、キー５０には、ＩＤ信号発信装置６０から発信される遊技機ＩＤ信号を受信する送受信部５４と、その遊技機ＩＤ信号の受信についての履歴を記憶する記憶装置５２とが設けられている。ＩＤ信号発信装置６０は、ロック機構のうちのキー５０によって解錠のための操作が行われる部分の近傍に設けられ、キー５０がＩＤ信号発信装置６０に接近した際に遊技機ＩＤ信号を発信する。【選択図】図５
2009056097.tif 000002
【特許請求の範囲】
【請求項１】
本体に対して開閉可能な扉を有する遊技機におけるシステムであって、
前記扉を施錠するためのロック機構と、
前記扉について少なくとも解錠するための操作を前記ロック機構に対して行うためのキーとを有し、
前記遊技機には、当該遊技機を特定する遊技機ＩＤ信号を発信するＩＤ信号発信装置が設けられ、
前記キーには、前記ＩＤ信号発信装置から発信される遊技機ＩＤ信号を受信する受信装置と、その遊技機ＩＤ信号の受信についての履歴を記憶する記憶装置とが設けられている、
遊技機の扉の解錠履歴管理システム。
【請求項２】
請求項１に記載の遊技機の扉の解錠履歴管理システムであって、
前記ＩＤ信号発信装置は、前記ロック機構のうちの前記キーによって解錠のための操作が行われる部分の近傍に設けられ、前記キーが当該ＩＤ信号発信装置に接近した際に前記遊技機ＩＤ信号を発信するものである、
遊技機の扉の解錠履歴管理システム。
【請求項３】
請求項２に記載の遊技機の扉の解錠履歴管理システムであって、
前記キーには電源が設けられており、
前記ＩＤ信号発信装置は、前記キーが当該ＩＤ信号発信装置に接近した際に、前記遊技機ＩＤ信号を発信するための電力の供給を当該キーから受けるものである、
遊技機の扉の解錠履歴管理システム。
【請求項４】
請求項１〜請求項３のいずれかに記載の遊技機の扉の解錠履歴管理システムであって、
前記遊技機には、前記扉の開閉を検出する開閉センサが設けられ、
前記遊技機には、前記開閉センサと接続され、少なくとも前記扉が開かれた履歴を記憶する開履歴記憶装置が伴っている、
遊技機の扉の解錠履歴管理システム。
【発明の詳細な説明】
【技術分野】
【０００１】
本発明は、遊技機の扉の解錠履歴管理システムに関するものである。
【背景技術】
【０００２】
一般的に、パチンコ機，スロットマシン等の遊技機は、その本体に対して開閉可能な扉を有している。また、その遊技機には、その扉（閉位置にある扉）を本体に対して施錠するためのロック機構が設けられている。
そして、扉が施錠された状態において、キーを用いてロック機構に対して解錠のための操作（解錠操作）が行われることによって、その扉は解錠状態とされ、開閉可能な状態となる。
【０００３】
ところで、パチンコホール（遊技ホール）においては、施錠状態の扉を不正に解錠する（正確には、そのようにした上で、その扉を開いて、内部の機構に対して不正な操作を行う）、という不正行為が行われる場合がある。
【０００４】
特許文献１には、そのような不正行為を防止するためのドアロック装置が開示されている。
そのドアロック装置は、所定のＩＤコードを発信し得る発信手段を具備したキーと、そのキーの発信手段から発信されるＩＤコードを受信する受信手段と、その受信手段で受信したＩＤコードが、予め記憶された正規のＩＤコードであるか否かを判定する判定手段と、その判定手段により前記受信手段で受信したＩＤコードが正規のものであると判定されたことを条件として、ドアのロック機構を作動させて当該ドアを施錠又は解錠し得るドアロック手段とを備えている。
そして、キー（その発信手段）から発信されたＩＤコードが受信手段（アンテナ）によって受信され、そのＩＤコードが正規のものであると判定手段によって判断された場合にのみ、ドアのロック機構が作動してドアが施錠又は解錠される。
【０００５】
上述のドアロック装置では、正規でないキー（正規のＩＤコードを発信しないキー）による不正行為を防止することは可能である。
しかしながら、パチンコホールの店員等が正規のキー（正規のＩＤコードを発信するキー）を用いて不正行為を行う、ということを防止することはできない。
【特許文献１】特開２００６−０７０６６７公報
【発明の開示】
【発明が解決しようとする課題】
【０００６】
本発明は、正規のキーを用いた不正行為について把握することが可能なシステムを提供することを目的とする。
【課題を解決するための手段】
【０００７】
上記の目的を達成するために、請求項１に係る発明は、本体に対して開閉可能な扉を有する遊技機におけるシステムであって、前記扉を施錠するためのロック機構と、前記扉について少なくとも解錠するための操作を前記ロック機構に対して行うためのキーとを有し、前記遊技機には、当該遊技機を特定する遊技機ＩＤ信号を発信するＩＤ信号発信装置が設けられ、前記キーには、前記ＩＤ信号発信装置から発信される遊技機ＩＤ信号を受信する受信装置と、その遊技機ＩＤ信号の受信についての履歴を記憶する記憶装置とが設けられている、遊技機の扉の解錠履歴管理システムである。
【０００８】
この発明の遊技機の扉の解錠履歴管理システムでは、ロック機構によって施錠された状態の扉について解錠するための操作がキーを用いてそのロック機構に対して行われた場合において、遊技機のＩＤ信号発信装置から発信される遊技機ＩＤ信号（当該遊技機を特定する信号）が、そのキーの受信装置によって受信され、その受信についての履歴が、そのキーの記憶装置に記憶される。
このため、その記憶された履歴に基づいて、そのキー（すなわち、解錠操作についての履歴が記憶される正規のキー）によって、いつどの遊技機について解錠操作（扉を解錠するための操作）が行われたかが把握される。
このことから、ある遊技機について正規のキーによって不正行為が行われた場合には、どの正規のキーによって不正行為が行われたかが判明することとなり、ひいては、誰が正規のキーを用いて不正行為を行ったかが判明することとなる。
こうして、ひいては、正規のキーを用いて不正行為が行われることが防止されることとなる。
【０００９】
請求項２に係る発明は、請求項１に係る発明の遊技機の扉の解錠履歴管理システムであって、前記ＩＤ信号発信装置は、前記ロック機構のうちの前記キーによって解錠のための操作が行われる部分の近傍に設けられ、前記キーが当該ＩＤ信号発信装置に接近した際に前記遊技機ＩＤ信号を発信するものである、遊技機の扉の解錠履歴管理システムである。
【００１０】
この発明の遊技機の扉の解錠履歴管理システムでは、請求項１に係る発明の遊技機の扉の解錠履歴管理システムの作用効果に加えて、次の作用効果が得られる。
すなわち、ロック機構のうちのキーによって解錠操作が行われる部分の近傍にＩＤ信号発信装置が設けられており、そのＩＤ信号発信装置にキーが接近した際に、そのＩＤ信号発信装置から遊技機ＩＤ信号が発信されることとなる。
このことから、キーによって解錠操作されてキーがＩＤ信号発信装置に接近した際に、ＩＤ信号発信装置から発信される遊技機ＩＤ信号が、そのキー（その受信装置）によって受信される。
こうして、請求項１に係る発明の作用効果が具体的に得られる。
【００１１】
請求項３に係る発明は、請求項２に係る発明の遊技機の扉の解錠履歴管理システムであって、前記キーには電源が設けられており、前記ＩＤ信号発信装置は、前記キーが当該ＩＤ信号発信装置に接近した際に、前記遊技機ＩＤ信号を発信するための電力の供給を当該キーから受けるものである、遊技機の扉の解錠履歴管理システムである。
【００１２】
この発明の遊技機の扉の解錠履歴管理システムでは、請求項２に係る発明の遊技機の扉の解錠履歴管理システムの作用効果に加えて、次の作用効果が得られる。
すなわち、キーによって解錠操作されてキーがＩＤ信号発信装置に接近した際に、キーから供給される電力に基づいて、ＩＤ信号発信装置から遊技機ＩＤ信号が発信される。
このため、ＩＤ信号発信装置は、本来的に、遊技機ＩＤ信号を発信するための電源を有する必要がなく、システムの簡略化が図られる。
【００１３】
請求項４に係る発明は、請求項１〜請求項３のいずれかに係る発明の遊技機の扉の解錠履歴管理システムであって、前記遊技機には、前記扉の開閉を検出する開閉センサが設けられ、前記遊技機には、前記開閉センサと接続され、少なくとも前記扉が開かれた履歴を記憶する開履歴記憶装置が伴っている、遊技機の扉の解錠履歴管理システムである。
【００１４】
この発明の遊技機の扉の解錠履歴管理システムでは、請求項１〜請求項３のいずれかに係る発明の遊技機の扉の解錠履歴管理システムの作用効果に加えて、次の作用効果が得られる。
すなわち、上述したように、請求項１〜請求項３のいずれかに係る発明においては、キーを用いた解錠操作の履歴がそのキーの記憶装置に記憶されることから、正規のキーによる解錠操作について管理されることとなり、正規のキーによる不正行為について把握され、ひいては、正規のキーを用いた不正行為が防止されることとなる。
そして、この発明では、さらに、遊技機に設けられた開閉センサによって扉の開閉について検出され、開履歴記憶装置において、少なくともその扉が開かれた履歴が記憶される。
すなわち、扉が開かれたことについてこの開閉センサによって検出されることに基づいて記憶される履歴は、本来的に、正規のキーを用いた解錠操作によるものか否かは区別されず、その両方が記憶される。
このことから、この履歴の内容と、請求項１〜請求項３に係る発明において述べた履歴の内容とが比較されることによって、扉が開かれたことについて、正規のキーを用いた解錠操作によるものか否かが把握されることとなり、正規のキーを用いた解錠操作によるものでないものが浮かび上がってくることとなる。
こうして、ひいては、正規のキーを用いない不正行為も防止されることとなる。
以上のようにして、この発明では、正規のキーを用いた不正行為、及び、正規のキーを用いない不正行為の両方について把握され、ひいては、その両方の不正行為が防止されることとなるのである。
【発明の効果】
【００１５】
以上のように、本発明の遊技機の扉の解錠履歴管理システムでは、正規のキーを用いた不正行為について把握することが可能であり、ひいては、正規のキーを用いた不正行為が防止されることとなる。
【発明を実施するための最良の形態】
【００１６】
次に、本発明の一実施形態であるパチンコ機の前枠の解錠履歴管理システムついて、図面に基づいて説明する。
図１に示すように、パチンコホール（遊技ホール）には、複数台のパチンコ機１０（遊技機）が設置されている。
すべてのパチンコ機１０（正確には、その開閉センサ２５（後述））は、１台のコンピュータ（パーソナルコンピュータ。以下、パソコンという）８０に接続されている。
【００１７】
各パチンコ機１０は、外枠２０及び前枠４０を有している。
前枠４０は、外枠２０に対して、閉位置（図２）と開位置（図３）との間を回動変位可能に取り付けられている。外枠２０が本発明の本体に該当し、前枠４０が本発明の扉に該当する。
外枠２０と前枠４０との間には、ロック機構３０が設けられている。正確には、ロック機構３０の一部を構成するものが前枠４０に設けられており（それを前枠側ロック機構３４ということとする）、他の一部を構成するものが外枠２０に設けられている（それを外枠側ロック機構（図示省略）ということとする）。
【００１８】
このパチンコホール（図１）のすべての又は一部のパチンコ機１０（そのロック機構３０）に対して、１種類の複数のキー５０（図２，図４）が対応している。
すなわち、このパチンコホールの複数のパチンコ機１０に対応して、複数のキー５０が存在しているが、その各キー５０が、すべての又は一部のパチンコ機１０に対応している。このパチンコホールには、複数人の店員（作業員）が存在しており、複数のキー５０（正確には、その一部）は、１つずつ、各店員によって携帯されている。
【００１９】
前枠側ロック機構３４（図３）の主要な要素の１つとして、シリンダ（図示省略）がある。シリンダの大半部分は、前枠４０の内部（厚みの部分）に内蔵されており、前枠４０の厚み方向に延びている。前枠４０のおもて面には鍵穴４５があり、鍵穴４５（図２）を通して、キー５０（そのうちの前端部の側の部分）がシリンダに挿入される。
【００２０】
図３→図２に示すように、開位置に位置する前枠４０が閉位置に向けて回動されて、その閉位置に位置づけられることによって、前枠４０は、自動的に、ロック機構３０によって外枠２０に対して施錠される。
一方、図２に示すように、前枠４０が閉位置に位置しロック機構３０によって施錠された状態において、キー５０が鍵穴４５を通して解錠操作される（すなわち、キー５０が、鍵穴４５を通してシリンダに挿入され、所定角度を回動される）ことによって、前枠４０は解錠される。すなわち、前枠４０は、開位置（図３）に変位可能な状態とされる。
【００２１】
図３に示すように、前枠側ロック機構３４の近傍には、ＩＤ信号発信装置６０が設けられている。正確には、ＩＤ信号発信装置６０は、前枠４０の裏面のうちのシリンダの近傍（すなわち、鍵穴４５の裏側の近傍）に設けられている。
【００２２】
図５に示すように、ＩＤ信号発信装置６０は、制御部６１，記憶部６２，送受信部６４（アンテナ）を有している。
記憶部６２には、そのパチンコ機１０を特定するコード等（例えば、遊技台番号）が記憶されている。
送受信部６４は、キー５０（その送受信部５４）から送信される電源信号（電磁波）を受信する。それに基づいて、制御部６１等に電力が供給される。
また、送受信部６４は、制御部６１からの信号に基づいて、遊技機ＩＤ信号（電磁波）を発信する。遊技機ＩＤ信号とは、遊技台番号等、そのパチンコ機１０を特定するコード等を示す信号である。
【００２３】
図５に示すように、キー５０（図４）には、次の装置（符号省略）が内蔵されている。すなわち、キー５０は、キー本体５８及び把持部５９からなり、その把持部５９に、次の装置が内蔵されている。
【００２４】
図５に示すように、その装置は制御部５１を有し、制御部５１には、記憶装置５２，送受信部５４（アンテナ），クロック５３，バッテリ５５（電源）が接続されている。
記憶装置５２としては、キー５０に対して内蔵されて原則としてキー５０から取り出し不可能なものの場合と、キー５０から取り出し可能なものの場合とがある。この実施形態は、前者の場合である。特にこの場合には、この装置（キー５０）に接続部５６（図４も参照）が形成されており、接続部５６は制御部５１（図５）に接続されている。そして、接続部５６において、キー５０は、ケーブル（図示省略）を介して、パソコン８０（図１，図５）と接続される。
【００２５】
図５に戻り、送受信部５４からは、電源信号（電磁波）が送信される。また、送受信部５４は、ＩＤ信号発信装置６０（その送受信部６４）から発信される遊技機ＩＤ信号を受信する。この場合、送受信部５４は、本発明の受信装置に該当する。
記憶装置５２には、遊技機ＩＤ信号を受信した履歴が記憶される。その履歴としては、遊技機ＩＤ信号の種類及びその受信した日時が記憶される。ＩＤ信号の種類とは、どのＩＤ信号を受信したか（どのパチンコ機１０の遊技機ＩＤ信号を受信したか）であり、クロック５３からの情報に基づいて、そのＩＤ信号を受信した日付及び時刻とともに、記憶される。
また、各キー５０の記憶装置５２には、そのキー５０自身を特定する番号が記憶されている。
【００２６】
図３に示すように、外枠２０には、開閉センサ２５が設けられている。開閉センサ２５は突出部材２６を有し、突出部材２６は、手前側に向けて突出する突出位置と突出しない没入位置との間を変位（出没可能）であるとともに、通常は（すなわち、外力が加わらない状態において）突出位置に位置するように付勢されている。
そして、前枠４０が開位置に位置する状態で、突出部は突出位置に位置する。一方、前枠４０が閉位置に位置する状態では、前枠４０によって没入位置に位置づけられる。こうして、開閉センサ２５は、前枠４０の開閉状態を検知することができる。
図１に示すように、このパチンコホールのすべてのパチンコ機１０の開閉センサ２５は、パソコン８０に接続されている（このことは前述）。
そして、各パチンコ機１０の前枠４０の開閉情報（すなわち、いつ開閉されたかの履歴）が、パソコン８０（その記憶装置）に記憶される。この場合におけるパソコン８０（その記憶装置）が、本発明の開履歴記憶装置に該当する。
【００２７】
次に、このシステムの作用効果について説明する。
パチンコホール（図１）の店員（作業員）が点検等のために、所定のパチンコ機１０の前枠４０（図２）を開こうとする場合には、キー（すなわち、正規のキー）５０を鍵穴４５に挿入し、回動する。このようにして、ロック機構３０に対して、前枠４０を解錠するための操作が行われ、前枠４０が解錠状態となる。
【００２８】
それとともに、上述のようにしてキー５０が鍵穴４５に挿入される際に、次のようになる。
すなわち、キー５０がＩＤ信号発信装置６０（図３）に接近し、図５に示すように、キー５０（その送受信部５４）から発信される電源信号（電磁波）がＩＤ信号発信装置６０の送受信部６４によって受信され、それによる電力に基づいて、送受信部６４から、遊技機ＩＤ信号が発信される。
そして、キー５０の送受信部５４によって、その遊技機ＩＤ信号が受信され、その受信履歴が記憶装置５２に記憶される。すなわち、その遊技機ＩＤ信号が示す遊技台番号（パチンコ機を特定するコード等）と、その遊技機ＩＤ信号を受信した日時が記憶される。
店員が上述のような解錠操作を複数回行った場合には、そのすべての解錠操作についての履歴が記憶される。すなわち、記憶内容が消去される作業が別途行われない限り、すべて記憶される。
【００２９】
そして、そのキー５０がパソコン８０に接続されることによって、パソコン８０には、そのキー５０を特定する情報とともに、その解錠操作の履歴が表示される。
例えば、図６に示すように、パソコン８０の表示装置には、解錠履歴表示画面９０が表示される。
解錠履歴表示画面９０には、キー特定表示部９１と、解錠内容表示部９２がある。
キー特定表示部９１には、そのキー５０の番号が表示される。
各解錠内容表示部９２には、どのパチンコ機１０について解錠操作されたか（どの遊技機ＩＤ信号を受信したか）、及び、いつその解錠操作がされたか（いつ、その遊技機ＩＤ信号を受信したか）が表示される。
複数の解錠操作がされた場合には、その解錠操作回数に対応する数だけ、解錠内容表示部９２が形成される。その複数の解錠内容表示部９２は、その解錠操作の日時に基づいて昇順又は降順に表示されたり、遊技台番号に基づいて昇順又は降順に表示されたりする。
【００３０】
このようにして、このシステムでは、どのキー５０によって、いつ、どのパチンコ機１０について解錠操作が行われたかが管理される。
こうして、ひいては、店員等が正規のキー５０を用いて不正行為（正確には、正規のキーを用いた不正行為）を行うことが防止される。
すなわち、仮に、いずれかのパチンコ機１０について不正行為が行われた場合には、すべてのキー（すなわち、正規のキー）５０における解錠操作の履歴を分析することによって、どのキー５０を用いて（ひいては、誰によって）その不正行為が行われたかが判明することとなる。こうして、正規のキー５０を用いた不正行為が防止されることとなるのである。
【００３１】
また、一方では、各パチンコ機１０の開閉センサ２５の検出内容に基づいて、パソコン８０（その記憶部）によって、各パチンコ機１０について前枠４０が開閉された履歴が記憶される。
このため、この履歴の内容と上述の履歴の内容とが比較されることによって、不正なキー等によって解錠操作されたか否かも認識することができる。
すなわち、この履歴によって特定される各パチンコ機１０の開操作と上述の履歴によって特定される各パチンコ機１０の解錠操作とがすべて対応する場合は、すべての解錠操作が正規のキー５０を用いて行われたこととなる。
一方、この履歴によって特定される各パチンコ機１０の開操作について、上述の履歴によって特定される解錠操作に対応しないものがある場合は、それは、正規のキーを用いた解錠によるものではない開操作であると判断される。このようにして、正規のキーを用いた解錠操作によるものではない開操作が浮かび上がることとなる。
こうして、このシステムでは、ひいては、正規のキーを用いない不正行為も防止されることとなるのである。
【００３２】
なお、上記のものはあくまで本発明の一実施形態にすぎず、当業者の知識に基づいて種々の変更を加えた態様で本発明を実施できることはもちろんである。
【００３３】
例えば、記憶装置（５２）は、キー５０から取り出し可能なものであってもよい。その場合は、その記憶装置（５２）がキー５０から取り外されてパソコン８０に接続されて、解錠操作の履歴がパソコン８０に表示される、という使用態様とされてもよい。
【図面の簡単な説明】
【００３４】
【図１】本発明の一実施形態であるパチンコ機の前枠の解錠履歴管理システムが設けられたパチンコホールを模式的に示す平面図である。
【図２】本発明の一実施形態であるパチンコ機の前枠の解錠履歴管理システムにおけるパチンコ機（前枠が閉位置にある）を示す斜視図である。
【図３】本発明の一実施形態であるパチンコ機の前枠の解錠履歴管理システムにおけるパチンコ機（前枠が開位置にある）を示す斜視図である。
【図４】本発明の一実施形態であるパチンコ機の前枠の解錠履歴管理システムにおけるパチンコ機のキーを示す図である。（ａ）は斜視図であり、（ｂ）は側面図である。
【図５】本発明の一実施形態であるパチンコ機の前枠の解錠履歴管理システムを模式的に示すブロック図である。
【図６】本発明の一実施形態であるパチンコ機の前枠の解錠履歴管理システムにおいてパソコンの画面に表示される解錠履歴表示画面を示す図である。
【符号の説明】
【００３５】
１０  パチンコ機（遊技機）
２０  外枠（本体）
２５  開閉センサ
３０  ロック機構
４０  前枠（扉）
５０  キー
５２  記憶装置
５４  送受信部（受信装置）
５５  バッテリ（電源）
６０  ＩＤ信号発信装置
８０  パソコン（開履歴記憶装置）
【図１】
2009056097.tif 000003
【図２】
2009056097.tif 000004
【図３】
2009056097.tif 000005
【図４】
2009056097.tif 000006
【図５】
2009056097.tif 000007
【図６】
2009056097.tif 000008